(57)【特許請求の範囲】
【請求項１】
駆動ユニットは、ベース、コイル回路基板及び軸芯を含み、コイル回路基板はベースに設置され、
回転ユニットは、ベアリング、羽根車、磁石及び鉄を含む金属薄板を有し、ベアリングは外周縁と内周縁とを有し、羽根車、磁石及び鉄を含む金属薄板はベアリングの外周縁に固着され、ベアリングの内周縁は駆動ユニットの軸芯に固着され、駆動ユニットのコイル回路基板により回転ユニットは駆動されて回転可能であり、
羽根車、磁石、および鉄を含む金属板は、ベアリングの径方向外側に設けられ、羽根車、磁石、および鉄を含む金属板の径方向内壁とベアリングの径方向外壁とは接合されることを特徴とする薄型構造扇風機。
【請求項２】
軸芯は、ベースに固着されていることを特徴とする請求項１記載の薄型構造扇風機。
【請求項３】
駆動ユニットは、更に軸芯架を有し、軸芯架はコイル回路基板の上に設置され、軸芯は軸芯架に固着されていることを特徴とする請求項１記載の薄型構造扇風機。
【請求項４】
羽根車は、収容槽を有し、鉄を含む金属薄板と磁石とは収容槽に設置され、磁石は誘導面を有し、誘導面はコイル回路基板に向かって軸芯の中心線と垂直になっていることを特徴とする請求項１記載の薄型構造扇風機。
【請求項５】
駆動ユニットは、コイル回路基板と軸芯とを含み、
回転ユニットは、ベアリングとロータとを含み、ベアリングは外周縁と内周縁を有し、ロータは少なくとも羽根車と磁石とを有し、ロータはベアリングの外周縁に固着され、ベアリングの内周縁は駆動ユニットの軸芯に固着され、駆動ユニットのコイル回路基板により回転ユニットは駆動されて回転可能であり、
羽根車および磁石は、ベアリングの径方向外側に設けられ、羽根車および磁石の径方向内壁とベアリングの径方向外壁とは接合されることを特徴とする薄型構造扇風機。
【請求項６】
駆動ユニットは、更にベースを有し、軸芯はベースに固着されていることを特徴とする請求項５記載の薄型構造扇風機。
【請求項７】
駆動ユニットは、更に軸芯架を有し、軸芯架はコイル回路基板の上に設置され、軸芯は軸芯架に固着されていることを特徴とする請求項５記載の薄型構造扇風機。
【請求項８】
羽根車は、収容槽を有し、磁石は収容槽に設置され、磁石は誘導面を有し、誘導面はコイル回路基板に向かって軸芯の中心線と垂直になっていることを特徴とする請求項５記載の薄型構造扇風機。
【発明の詳細な説明】
【技術分野】
【０００１】
本発明は、扇風機構造に関し、更に詳細には、薄型構造扇風機に関する。
【背景技術】
【０００２】
図１に示すように、周知の扇風機構造１０は、枠体１１、ベアリング１２、シャフト１３、羽根車１４、ステータ１５、ケイ鋼薄板１６及び磁石１７を含む。枠体１１は、軸座１１ａを有する。ベアリング１２は外周縁１２ａと内周縁１２ｂを有し、外周縁１２ａは枠体１１の軸座１１ａに固着され、シャフト１３は内周縁１２ｂを貫通して内周縁１２ｂに固着される。羽根車１４はシャフト１３の一端に固着され、ステータ１５は枠体１１の軸座１１ａに設置され、ケイ鋼薄板１６と磁石１７とは羽根車１４の内壁１４ａに固着される。扇風機１０が動く時、ベアリング１２の内周縁１２ｂ、シャフト１３、羽根車１４、ケイ鋼薄板１６及び磁石１７は同時に回転している。但し、この扇風機１０は、全体の構造が厚くかつ重くなるので、小型化や薄型化する電子装置になかなか応用されることができない。
【発明の開示】
【発明が解決しようとする課題】
【０００３】
本発明は、上述の問題を解決するためになされたものであり、薄型構造にすることができる扇風機を提供することを目的とする。
【課題を解決するための手段】
【０００４】
薄型構造扇風機は、主要に、駆動ユニットと回転ユニットにより構成される。駆動ユニットはベース、コイル回路基板及び軸芯を含み、コイル回路基板はベースに設置される。回転ユニットはベアリング、羽根車、鉄を含む金属薄板及び磁石を有し、ベアリングは外周縁と内周縁を有し、羽根車、鉄を含む金属薄板及び磁石はベアリングの外周縁に固定配置され、ベアリングの内周縁は駆動ユニットの軸芯に固着される。なお、駆動ユニットのコイル回路基板は、回転ユニットを駆動して回転させることができる。本発明は、ベアリング、羽根車、鉄を含む金属薄板及び磁石を回転ユニットにまとめることにより、軸芯の長さを大幅に縮短することが可能であり、かつコイル回路基板がステータを平坦にすることより、扇風機全体構造の厚みと重さを大いに減少することもできる。また、羽根車、磁石、及び鉄を含む金属板は、ベアリングの径方向外側に設けられ、羽根車、磁石、及び鉄を含む金属板の径方向内壁とベアリングの径方向外壁とは接合される。よって、扇風機の軸方向の幅、及び径方向の幅を短縮することができる。ゆえに、このような薄型構造扇風機は、軽型、小型及び薄型の要求を達することができ、しかも、有効に応用範囲を広く拡大することができる。
【０００５】
本発明による薄型構造扇風機は、駆動ユニットと回転ユニットを含み、駆動ユニットはベース、コイル回路基板及び軸芯を有し、コイル回路基板はベースに設置される。回転ユニットはベアリング、羽根車、鉄を含む金属薄板及び磁石を含み、ベアリングは外周縁と内周縁を有し、羽根車、鉄を含む金属薄板及び磁石はベアリングの外周縁に固定設置され、但し、ベアリングの内周縁は駆動ユニットの軸芯に固着される。なお、駆動ユニットのコイル回路基板により回転ユニットが駆動されて回転することができる。
【０００６】
本発明によるもう一種の薄型構造扇風機は、駆動ユニットと回転ユニットを含み、駆動ユニットはコイル回路基板と軸芯を有し、回転ユニットはベアリングとロータを有する。ベアリングは外周縁と内周縁を有し、ロータは少なくとも羽根車と磁石を有し、ロータはベアリングの外周縁に固着され、そして、ベアリングの内周縁は駆動ユニットの軸芯に固着される。また、羽根車及び磁石は、ベアリングの径方向外側に設けられ、羽根車及び磁石の径方向内壁とベアリングの径方向外壁とは接合される。なお、駆動ユニットのコイル回路基板により回転ユニットが駆動されて回転することができる。
【発明を実施するための最良の形態】
【０００７】
（第１実施形態）
本発明の第１実施形態を図２と図３に基づき説明する。本発明の第１実施形態による薄型構造扇風機２０は、駆動ユニット２１と回転ユニット２２により構成される。本実施形態において、駆動ユニット２１は、ベース２１１、コイル回路基板２１２、絶縁板２１３及び軸芯２１４を含む。ベース２１１は金属、更に好ましくは、鉄を含む金属より製作される。コイル回路基板２１２は、ベース２１１に設置され、かつ回転ユニット２２の駆動用として内蔵コイル巻き２１２ａを有する。絶縁板２１３は、コイル回路基板２１２からベース２１１に接触しないようにコイル回路基板２１２とベース２１１との間に設置され、更に好ましくは、コイル回路基板２１２と一体に結合されることができ、若しくは、ベース２１１の材質が金属ではないなら、不要にすることもできる。図３を参照して、本実施形態において、軸芯２１４はベース２１１に設置され、好ましくは、ベース２１１が固定槽２１１ａを有して、軸芯２１４を固定槽２１１ａに設置することである。再び図２と図３を参照して、回転ユニット２２はロータ２２１とベアリング２２２を含み、ロータ２２１は少なくとも羽根車２２３と磁石２２４を有し、磁石２２４は誘導面２２４ａと側面２２４ｂを有する。本実施形態において、ロータ２２１は更に鉄を含む金属薄板２２５を有し、この鉄を含む金属薄板２２５は軟磁性材料で製作され、更に好ましくは、ケイ鋼薄板で製作される。羽根車２２３は収容槽２２３ａと中心孔２２３ｂを有し、中心孔２２３ｂは収容槽２２３ａに連通してよい。本実施形態において、磁石２２４と鉄を含む金属薄板２２５とは羽根車２２３の収容槽２２３ａに設置され、かつ磁石２２４の誘導面２２４ａはコイル回路基板２１２に向かって更に軸芯２１４の中心線２１４ａに垂直することになる。ベアリング２２２は、羽根車２２３の中心孔２２３ｂに設置され、また、外周縁２２２ａと内周縁２２２ｂを有する。ロータ２２１はベアリング２２２の外周縁２２２ａに固着され、ベアリング２２２の内周縁２２２ｂは駆動ユニット２１の軸芯２１４に固着される。図３に示すように、本実施形態において、ロータ２２１は、羽根車２２３、磁石２２４及び鉄を含む金属薄板２２５の全てがベアリング２２２の外周縁２２２ａに固定設置されることにより、固着されている。但し、他の実施形態において、ロータ２２１は、羽根車２２３と磁石２２４と鉄を含む金属薄板２２５の中から１つだけを選んでベアリング２２２の外周縁２２２ａに固定設置されることにより固着されている。若しくは、ベアリング２２２をロータ２２１と一体形成してもよい。コイル回路基板２１２により回転ユニット２２が駆動されて回転する際、ベアリング２２２の内周縁２２２ｂが軸芯２１４に固着されるため、ベアリング２２２の外周縁２２２ａ、羽根車２２３、鉄を含む金属薄板２２５及び磁石２２４は同時に回転している。なお、再び図２と図３を参照して、本実施形態において、駆動ユニット２１は更に外枠２１５を有し、駆動ユニット２１のベース２１１は外枠２１５に固着され、回転ユニット２２は外枠２１５の内に設置されている。
【０００８】
（第２実施形態）
本発明の第２実施形態を図４と図５に基づき説明する。
本発明の第２実施形態による薄型構造扇風機２０は、駆動ユニット２１と回転ユニット２２を含む。本実施形態と第１実施形態の薄型構造扇風機２０は基本的に同様な構造になっているが、唯一異なるのは、駆動ユニット２１が更に軸芯架２１６を含み、軸芯架２１６はコイル回路基板２１２の上に設置され、軸芯２１４は軸芯架２１６に固着される。本実施形態において、更にコイル回路基板２１２の中央部に穴を開ける需要がないので、コイル回路基板２１２の回路配線面積を大いに増加することができる。なお、軸芯架２１６は複数の定位支柱２１６ａを有し、それらの定位支柱２１６ａはコイル回路基板２１２とベース２１１とを通して固着される。
【０００９】
本実施形態において、ベアリング２２２、羽根車２２３、磁石２２４及び鉄を含む金属薄板２２５を回転ユニット２２にまとめることより、駆動ユニット２１の軸芯２１４の長さを大幅に縮短することが可能である。かつ、コイル回路基板２１２がステータを平坦にすることより、扇風機全体構造の厚みと重さを大いに減少することもできる。よって、このような薄型構造扇風機は、軽型、小型及び薄型の要求を満足することができ、しかも、有効に応用範囲を広く拡大することができる。
以上、本発明をその好適な実施形態に基づいて説明したが、本発明の保護範囲は後付の特許申請範囲で限定されて、この保護範囲に基準して本発明の精神と範囲内に触れるどんな変更や修正も本発明の保護範囲に属する。
【図面の簡単な説明】
【００１０】
【図１】従来の扇風機の断面図である。
【図２】本発明の第１実施形態による薄型構造扇風機を示す分解図である。
【図３】本発明の第１実施形態による薄型構造扇風機を示す断面図である。
【図４】本発明の第２実施形態による薄型構造扇風機を示す分解図である。
【図５】本発明の第２実施形態による薄型構造扇風機を示す断面図である。
【符号の説明】
【００１１】
１０：周知の扇風機構造、１１：枠体、１１ａ：軸座、１２：ベアリング、１２ａ：外周縁、１２ｂ：内周縁、１３：シャフト、１４：羽根車、１４ａ：内壁、１５：ステータ、１６：ケイ鋼薄板、１７：磁石、２０：薄型構造扇風機、２１：駆動ユニット、２２：回転ユニット、２１１：ベース、２１１ａ：固定槽、２１２：コイル回路基板、２１２ａ：内蔵コイル巻き、２１３：絶縁板、２１４：軸芯、２１４ａ：中心線、２１５：外枠、２１６：軸芯架、２１６ａ：定位支柱、２１６ａ：定位支柱、２２１：ロータ、２２２：ベアリング、２２２ａ：外周縁、２２２ｂ：内周縁、２２３：羽根車、２２３ａ：収容槽、２２３ｂ：中心孔、２２４：磁石、２２４ａ：誘導面、２２４ｂ：側面、２２５：鉄を含む金属薄板
【図１】
0004572219.tif 000002
【図２】
0004572219.tif 000003
【図３】
0004572219.tif 000004
【図４】
0004572219.tif 000005
【図５】
0004572219.tif 000006